(57)【要約】【課題】使用者の作業負担を低減して利便性を向上できる電子機器、システム、及びプログラムを提供する。【解決手段】筐体にカバーを備えた電子機器であって、ネットワークを介して報知動作開始指示を受け入れて報知動作を開始し、報知動作中に、筐体のカバーが開かれたことを検知すると、障害が発生しているか否かに関わらず、報知動作を停止させる電子機器である。【選択図】図１
2014067300.tif 000002
【特許請求の範囲】
【請求項１】
筐体のカバーを備え、
ネットワークを介して報知動作開始指示を受け入れる受入手段と、
前記受入手段が報知動作開始指示を受け入れると、報知動作を開始する報知手段と、
前記筐体のカバーが開かれたことを検知する検知手段と、
前記報知手段が報知動作中に、前記検知手段が、筐体のカバーが開かれたことを検知すると、障害が発生しているか否かに関わらず、前記報知手段による報知動作を停止させる報知制御手段と、
を含む電子機器。
【請求項２】
請求項１記載の電子機器であって、
さらに、外部の機器に対してコネクタに接続された配線を介して接続され、
前記検知手段は、前記筐体のカバーが開かれたことと、前記コネクタに接続された配線が取外されたこととを検知し、
前記報知制御手段は、前記報知手段が報知動作中に、前記検知手段が、筐体のカバーが開かれたことを検知すると、障害が発生しているか否かに関わらず、前記報知手段による報知動作を停止させ、また、前記報知手段が報知動作中に、前記検知手段が、前記コネクタに接続された配線が取外されたことを検知すると、障害が発生しているか否かに関わらず、前記報知手段による報知動作を停止させる電子機器。
【請求項３】
請求項１または２記載の電子機器であって、
前記報知動作開始指示には、報知動作を停止させる条件を指定する情報が含まれ、
前記報知制御手段は、前記報知手段が報知動作中に、当該報知動作を開始する際に受け入れた報知動作開始指示に含まれる前記情報で指定される条件が満足されると、前記報知手段による報知動作を停止させる電子機器。
【請求項４】
請求項１から３のいずれか一項に記載の電子機器であって、
前記報知制御手段は、報知動作を停止させたときに、その旨を表す情報を、ネットワークを介して、設定された送信元に対して送信する電子機器。
【請求項５】
請求項１から４のいずれか一項に記載の電子機器であって、
前記報知制御手段は、報知動作を停止させた後に、前記筐体のカバーが閉じられたことが検出されると、その旨を表す情報を、ネットワークを介して、設定された送信元に対して送信する電子機器。
【請求項６】
ネットワークを介して報知動作開始指示を送信する指示側装置と、
電子機器とを含むシステムであって、
前記電子機器は、
筐体カバーを備え、
ネットワークを介して報知動作開始指示を受け入れる受入手段と、
前記受入手段が報知動作開始指示を受け入れると、報知動作を開始する報知手段と、
前記筐体のカバーが開かれたことを検知する検知手段と、
前記報知手段が報知動作中に、前記検知手段が、筐体のカバーが開かれたことを検知すると、障害が発生しているか否かに関わらず、前記報知手段による報知動作を停止させる報知制御手段と、
を含むシステム。
【請求項７】
筐体のカバーを備えた電子機器を、
ネットワークを介して報知動作開始指示を受け入れる受入手段と、
前記受入手段が報知動作開始指示を受け入れると、報知動作を開始する報知手段と、
前記筐体のカバーが開かれたことを検知する検知手段と、
前記報知手段が報知動作中に、前記検知手段が、筐体のカバーが開かれたことを検知すると、障害が発生しているか否かに関わらず、前記報知手段による報知動作を停止させる報知制御手段と、
として機能させるプログラム。
【発明の詳細な説明】
【技術分野】
【０００１】
本発明は、報知動作を行う電子機器、システム、及びプログラムに関する。
【背景技術】
【０００２】
近年、ネットワークを介して接続されるＮＡＳ（Network Attached Storage）等のディスクデバイスが普及しており、企業内において、これらを複数台並べて管理する例が増えている。一方で、こうしたネットワークを介してアクセスされるデバイスは、使用者が筐体に向き合っている必要がないので、使用者自身、どのデバイスを利用しているかは分からないことが多い。
【０００３】
従って、あるデバイスに不具合が発生したとき、当該デバイスを含む複数のデバイスが配列されていると、不具合が発生しているデバイスを特定するのが困難となる。
【０００４】
そこで例えば特許文献１に開示された技術を用いれば、ネットワークを介して指示したデバイスがブザーを鳴動する。これにより使用者は不具合の生じたデバイスにブザーの鳴動を指示しておき、実際に当該デバイスの筐体がある場所へ行ってブザーが鳴動している筐体を見つけ出せばよい。
【０００５】
特許文献１の例では、筐体側にブザースイッチがあり、現場でこのスイッチを押下して鳴動を停止させることとしている。
【先行技術文献】
【特許文献】
【０００６】
【特許文献１】特開２００９−２３９９０２号公報
【発明の概要】
【発明が解決しようとする課題】
【０００７】
しかしながら、上記従来のデバイス（電子機器）では、使用者は筐体へアクセスしつつ、一々ブザースイッチを探して押下しなければならず、利便性が低い。
【０００８】
本発明は上記実情に鑑みて為されたもので、使用者の作業負担を低減して利便性を向上できる電子機器、システム、及びプログラムを提供することを、その目的の一つとする。
【課題を解決するための手段】
【０００９】
上記従来例の問題点を解決するための本発明は電子機器であって、筐体のカバーを備え、ネットワークを介して報知動作開始指示を受け入れる受入手段と、前記受入手段が報知動作開始指示を受け入れると、報知動作を開始する報知手段と、前記筐体のカバーが開かれたことを検知する検知手段と、前記報知手段が報知動作中に、前記検知手段が、筐体のカバーが開かれたことを検知すると、障害が発生しているか否かに関わらず、前記報知手段による報知動作を停止させる報知制御手段と、を含むこととしたものである。
【００１０】
ここでさらに、外部の機器に対してコネクタに接続された配線を介して接続され、前記検知手段は、前記筐体のカバーが開かれたことと、前記コネクタに接続された配線が取外されたこととを検知し、前記報知制御手段は、前記報知手段が報知動作中に、前記検知手段が、筐体のカバーが開かれたことを検知すると、障害が発生しているか否かに関わらず、前記報知手段による報知動作を停止させ、また、前記報知手段が報知動作中に、前記検知手段が、前記コネクタに接続された配線が取外されたことを検知すると、障害が発生しているか否かに関わらず、前記報知手段による報知動作を停止させることとしてもよい。
【００１１】
また前記報知動作開始指示には、報知動作を停止させる条件を指定する情報が含まれ、前記報知制御手段は、前記報知手段が報知動作中に、当該報知動作を開始する際に受け入れた報知動作開始指示に含まれる前記情報で指定される条件が満足されると、前記報知手段による報知動作を停止させることとしてもよい。
さらに、前記報知制御手段は、報知動作を停止させたときに、その旨を表す情報を、ネットワークを介して、報知動作開始指示の送信元に対して送信してもよい。
さらに、前記報知制御手段は、報知動作を停止させた後に、前記筐体のカバーが閉じられたことが検出されると、その旨を表す情報を、ネットワークを介して、報知動作開始指示の送信元に対して送信することとしてもよい。
【００１２】
また本発明の一態様は、ネットワークを介して報知動作開始指示を送信する指示側装置と、電子機器とを含むシステムであって、前記電子機器は、筐体カバーを備え、ネットワークを介して報知動作開始指示を受け入れる受入手段と、前記受入手段が報知動作開始指示を受け入れると、報知動作を開始する報知手段と、前記筐体のカバーが開かれたことを検知する検知手段と、前記報知手段が報知動作中に、前記検知手段が、筐体のカバーが開かれたことを検知すると、障害が発生しているか否かに関わらず、前記報知手段による報知動作を停止させる報知制御手段と、を含むこととしたものである。
【００１３】
さらに本発明の一態様に係るプログラムは、筐体のカバーを備えた電子機器を、ネットワークを介して報知動作開始指示を受け入れる受入手段と、前記受入手段が報知動作開始指示を受け入れると、報知動作を開始する報知手段と、前記筐体のカバーが開かれたことを検知する検知手段と、前記報知手段が報知動作中に、前記検知手段が、筐体のカバーが開かれたことを検知すると、障害が発生しているか否かに関わらず、前記報知手段による報知動作を停止させる報知制御手段と、として機能させることとしたものである。
【発明の効果】
【００１４】
本発明によると、使用者が報知動作を停止するための作業をわざわざする必要がなく、使用者の作業負担を低減して利便性を向上できる。
【図面の簡単な説明】
【００１５】
【図１】本発明の実施の形態に係る電子機器及びそれを含んだシステムの構成例を表すブロック図である。
【図２】本発明の実施の形態に係る電子機器が収納される筐体の例を表す説明図である。
【図３】本発明の実施の形態に係る電子機器の動作例を表すフローチャート図である。
【図４】本発明の実施の形態に係る電子機器に報知開始指示を送出するためのインタフェース画面例を表す説明図である。
【図５】本発明の実施の形態に係る電子機器が受け入れる報知開始指示の例を表す説明図である。
【図６】本発明の実施の形態に係る電子機器のまた別の動作例を表すフローチャート図である。
【発明を実施するための形態】
【００１６】
本発明の実施の形態について図面を参照しながら説明する。本発明の実施の形態に係る電子機器１は、図１に例示するように、制御部１１、記憶部１２、機能部１３、通信部１４、及び報知部１５を含んで構成され、これらが図２に例示するような開口を有した筐体１０に格納され、使用中はカバー２０によって開口がふさがれている。ここで制御部１１は、例えばＣＰＵ等であり、記憶部１２に格納されたプログラムに従って動作する。
【００１７】
本実施の形態の制御部１１は、ネットワークを介して報知動作開始指示を受け入れて、報知部１５に対して報知動作を開始させる。またこの制御部１１は、筐体のカバー２０が開かれたことを検知する動作を行っており、報知部１５が報知動作を行っている間に、カバー２０が開かれたこと（カバーの施錠が解錠されたこと、カバーが扉である場合は開扉されたこと、または、カバー自体が取り外されたことなど）を検知すると、機能部１３等に障害が発生しているか否かに関わらず、報知部１５による報知動作を停止させる。つまり、この制御部１１は、本発明における受入手段、検知手段、及び報知制御手段として機能する。この制御部１１の動作については、後に詳しく述べる。
【００１８】
記憶部１２は、読書き可能な不揮発性の記憶手段（例えばフラッシュメモリ等）や、ＤＲＡＭ等を含んで構成される。この記憶部１２は、制御部１１によって実行されるプログラムを保持する。このプログラムは、ネットワークを介して、またはＤＶＤ-ＲＯＭ等のコンピュータ可読な記録媒体に格納されて提供され、この記憶部１２に格納されたものであってもよい。またこの記憶部１２は、制御部１１のワークメモリとしても動作する。
【００１９】
機能部１３は、この電子機器の本来の機能を提供するものである。一例としてこの電子機器はＮＡＳ（Network Attached Storage）であり、この場合、機能部１３は、ディスクドライブとディスクドライブを制御する制御回路とを含んで構成される。
【００２０】
通信部１４は、ネットワークインタフェースである。一例としてこの通信部１４は、ＲＪ４５等のコネクタを有し、このコネクタを介して接続されるケーブルによりネットワークに接続される。そしてこの通信部１４は、ネットワークを介して、他の機器（インターネットを介して接続されたものであってもよい）と通信を行う。通信部１４は、他の機器からネットワークを介して受信した情報を制御部１１に出力する。また、この通信部１４は、制御部１１から入力される指示に従い、当該指示によって指定される宛先に対して情報を送出する。なお、この通信部１４は、無線ＬＡＮインタフェースであってもよい。この場合はＲＪ４５等のコネクタは必ずしも必要でない。またこの通信部１４は、携帯電話網（３ＧやＬＴＥ等）を介してデータの送受が可能となっていてもよい。
【００２１】
報知部１５は、制御部１１から入力される指示に従って報知動作を開始する。またこの報知部１５は、報知動作中に制御部１１から入力される指示に従い、報知動作を停止する。具体的にこの報知部１５による報知動作は、ブザーの鳴動や、ＬＥＤなどの点灯，点滅等で行われる。本実施の形態では、制御部１１とこの報知部１５とにより本発明における報知手段が実現される。
【００２２】
また本実施の形態の電子機器１は、図１に例示したように、ネットワークを介して指示側装置としてのＰＣ３０に接続されている。本実施の形態のある例では、この電子機器１はＮＡＳとして機能する。すなわち機能部１３は、ＮＡＳとしての機能を提供するものとなる。この例では機能部１３は、ＰＣ３０からネットワークを介して、機能部１３のディスクドライブに格納されているデータを読み出すべき旨の指示を受け入れると、ディスクドライブから当該指示されたデータを読み出し、ネットワークを介して当該読み出したデータをＰＣ３０へ送出する。
【００２３】
またこの例では機能部１３は、ＰＣ３０からネットワークを介して、機能部１３のディスクドライブにデータを格納するべき旨の指示を受け入れると、ＰＣ３０から受け入れた指示に従ってデータをディスクドライブに格納する。
【００２４】
さらに本実施の形態では、機能部１３は、障害の発生を検知すると、報知動作を行うべき旨の指示を制御部１１に出力する。また機能部１３は障害がなくなったことを検知すると、報知動作を停止するべき旨の指示を制御部１１に出力する。上述の例では、例えばディスクドライブに障害が発生したことを検知すると、機能部１３は報知動作を行うべき旨の指示を制御部１１に出力する。またディスクドライブが復旧されると、機能部１３は、障害がなくなったことを検知して、報知動作を停止するべき旨の指示を制御部１１に出力する。
【００２５】
次に、本実施の形態における制御部１１の動作について説明する。本実施の形態の制御部１１は、機能部１３から報知動作を行うべき旨の指示が入力されると、報知部１５に対して報知動作を開始するよう指示する。これにより報知部１５が報知動作を開始し、ブザーを鳴動し、あるいはＬＥＤを点滅させる等の動作を行う。
【００２６】
またこの制御部１１は、機能部１３から報知動作を停止するべき旨の指示が入力されると、報知部１５に対して報知動作を停止するよう指示する。これにより報知部１５は報知動作を停止し、ブザーの鳴動を停止し、あるいはＬＥＤの点滅を停止する等の動作を行う。
【００２７】
またＰＣ３０からこの電子機器１を使用する使用者が、何らかの理由により報知動作開始指示をこの電子機器１に対して送信すると、電子機器１の通信部１４が、ＰＣ３０からネットワークを介して、報知動作開始指示を受け入れる。そしてこの制御部１１は、報知動作開始指示を受け入れると、報知部１５に対して報知動作を開始するよう指示する。これにより報知部１５が報知動作を開始し、ブザーを鳴動し、あるいはＬＥＤを点滅させる等の動作を行う。
【００２８】
制御部１１は、報知部１５が報知動作を行っている間、図３（ａ）に例示する処理を実行している。すなわち制御部１１は、筐体１０のカバー２０が開かれたか否かを検出する（Ｓ１）。この検出は、例えばカバー２０によって通常は押下された状態（クローズの状態）にあり、カバー２０を開くとオープンの状態となるスイッチを用いることとしてもよいし、カバー２０が開かれたときに外来光を受ける照度センサを用い、制御部１１がＧＰＩＯ等のインタフェースを介してこの照度センサの出力を受けて、カバー２０が開かれたことを検出するなど、広く知られている方法を採用できるので、ここでの詳しい説明を省略する。ここで、カバー２０が開かれていなければ処理Ｓ１に戻って処理を続ける（報知動作が継続される）。
【００２９】
一方、処理Ｓ１においてカバー２０が開かれたことを検出すると、制御部１１は、機能部１３から報知動作を行うべき旨の指示を受けていても、また、機能部１３から報知動作を停止するべき旨の指示があったか否かに関わらず、つまり、機器に障害が発生しているか否かに関わらず、報知部１５に対して報知動作を停止するよう指示する（Ｓ２）。これにより報知部１５は報知動作を停止し、ブザーの鳴動を停止し、あるいはＬＥＤの点滅を停止する等の動作を行う。
【００３０】
または、制御部１１は、報知部１５が報知動作を行っている間、図３（ｂ）に例示する処理を実行している。すなわち制御部１１は、外部の機器に対して接続された配線が接続されているコネクタから、当該配線が取り外されたか否かを検出する（Ｓ１１）。この検出は、例えばコネクタ自身に設けたスイッチを用いる方法のほか、配線がネットワークであれば、キャリア（搬送波）が一定期間以上受信できないことを検出する方法等、広く知られた方法が採用できるので、ここでの詳しい説明を省略する。
【００３１】
制御部１１は、配線が取外されていなければ処理Ｓ１１に戻って処理を続ける（報知動作が継続される）。
【００３２】
一方、処理Ｓ１１において配線が取外されていることを検出すると、制御部１１は、機能部１３から報知動作を行うべき旨の指示を受けていても、また、機能部１３から報知動作を停止するべき旨の指示があったか否かに関わらず、つまり、機器に障害が発生しているか否かに関わらず、報知部１５に対して報知動作を停止するよう指示する（Ｓ１２）。これにより報知部１５は報知動作を停止し、ブザーの鳴動を停止し、あるいはＬＥＤの点滅を停止する等の動作を行う。
【００３３】
さらに制御部１１は、筐体のカバー２０が取外されたか、またはコネクタから外部の機器に対して接続された配線が取外されたことを検出すると、機器に障害が発生しているか否かに関わらず、報知部１５に対して報知動作を停止するよう指示するようにしてもよい。
【００３４】
本実施の形態の電子機器１及びそれを含むシステムは以上のように構成されており、次のように動作する。この電子機器１の使用者は、電子機器１へのアクセスが必要となったと判断すると、自ら使用しているＰＣ３０から当該電子機器１（ネットワークアドレス等により識別される）に対して、報知動作開始指示を送出する。
【００３５】
電子機器１はネットワークを介して、ＰＣ３０からの報知動作開始指示を受け入れる。そして電子機器１は報知動作を開始し、ブザーを鳴動し、あるいはＬＥＤを点滅させる等の動作を行う。使用者は、電子機器１が、同種の電子機器と並べて配置してあったとしても、ブザーやＬＥＤの点滅等により、目的の電子機器１を見出せるようになっている。
【００３６】
そして使用者が、この電子機器１の筐体１０のカバー２０を開くか、あるいは、ネットワークの配線をコネクタから抜くと、電子機器１は、カバー２０が開かれたこと、あるいは、ネットワークの配線がコネクタから取外されたことを検出して、報知動作を停止し、ブザーの鳴動を停止し、あるいはＬＥＤの点滅を停止する等の動作を行う。このように本実施の形態では、使用者がわざわざ鳴動を停止させるボタンなどを押下する必要なく、報知動作を停止させることができるようになっている。
【００３７】
さらに本実施の形態においては、報知動作を停止させる条件を利用者が設定できるようにしておいてもよい。一例として、使用者がＰＣ３０において報知動作開始指示を送信するべき旨の指示を入力する際、ＰＣ３０は図４に例示する画面を使用者に提示して報知動作を停止させる条件を選択させる。使用者はこの画面で報知動作を停止させる条件を、（１）カバーが開かれたとき停止、（２）ネットワークケーブルを抜いたとき停止、のいずれか、または両方を選択する。
【００３８】
するとＰＣ３０は、この条件を表す情報を含む報知動作開始指示を生成して、使用者が指定したネットワークアドレスの電子機器１へ送出する。この報知動作開始指示は、図５に例示するように、報知動作を停止させる条件を指定する情報（Ｓ）を含むものとなる。
【００３９】
電子機器１の制御部１１は、報知動作開始指示を受け入れると、報知部１５に対して報知動作を開始するよう指示する。これにより報知部１５が報知動作を開始し、ブザーを鳴動し、あるいはＬＥＤを点滅させる等の動作を行う。
【００４０】
制御部１１は、報知部１５が報知動作を行っている間、図６に例示する処理を実行している。すなわち制御部１１は、筐体１０のカバー２０が開かれたか否かを検出する（Ｓ２１）。この検出は、例えばカバー２０によって通常は押下された状態（クローズの状態）にあり、カバー２０を開くとオープンの状態となるスイッチを用いるなど、広く知られている方法を採用できるので、ここでの詳しい説明を省略する。
【００４１】
また制御部１１は、外部の機器に対して接続された配線が接続されているコネクタから、当該配線が取り外されたか否かを検出する（Ｓ２２）。この検出は、例えばコネクタ自身に設けたスイッチを用いる方法のほか、配線がネットワークであれば、キャリア（搬送波）が一定期間以上受信できないことを検出する方法等、広く知られた方法が採用できるので、ここでの詳しい説明を省略する。
【００４２】
そして制御部１１は、受け入れた報知動作開始指示に含まれる情報で指定された条件が満足されたか否かを調べる（Ｓ２３）。具体的には、報知動作開始指示に含まれる情報で指定された条件が、「カバーが開かれたとき停止」であれば、処理Ｓ２１にてカバー２０が開かれたことを検出したか否かを調べる。また、この条件が「ネットワークケーブルを抜いたとき停止」であれば、処理Ｓ２２にて、ネットワークの配線が取外されたことを検出したか否かを調べる。また両方を条件とする場合、カバー２０が開かれたことを検出し、かつネットワークの配線が取外されたことを検出したか否かについて調べる。
【００４３】
制御部１１は、受け入れた報知動作開始指示に含まれる情報で指定された条件が満足されていなければ（Noならば）、処理Ｓ２１に戻って処理を続ける。また、受け入れた報知動作開始指示に含まれる情報で指定された条件が満足されていれば（Yesならば）、制御部１１は、機能部１３から報知動作を行うべき旨の指示を受けていても、また、機能部１３から報知動作を停止するべき旨の指示があったか否かに関わらず、つまり、機器に障害が発生しているか否かに関わらず、報知部１５に対して報知動作を停止するよう指示する（Ｓ２４）。これにより報知部１５は報知動作を停止し、ブザーの鳴動を停止し、あるいはＬＥＤの点滅を停止する等の動作を行う。
【００４４】
また制御部１１は、ここで報知動作を停止するよう指示したときには、その旨を表す情報を、ネットワークを介して、報知動作開始指示の送信元であるＰＣ３０や、管理者のＰＣ等予め設定された宛先に対して送信することとしてもよい。この場合、当該情報の送信先は、報知動作の停止条件の設定と同様に、例えばプルダウンメニューに列挙された宛先の候補から選択することで設定するようにしてもよい。また制御部１１は、報知動作を停止させた後に、筐体１０のカバー２０が閉じられたこと（施錠可能なカバーであれば施錠されたこと、また、扉であれば閉じられたことなどをいう）が検出されると、その旨を表す情報を、ネットワークを介して、報知動作開始指示の送信元であるＰＣ３０や、管理者のＰＣ等予め設定された宛先に対して送信することとしてもよい。このように、管理者のＰＣを宛先として設定しておけば、管理者は遠隔にいながら操作が行われたことを知ることができる。
【００４５】
ＰＣ３０側では、報知動作を停止させたことを表す情報を受信すると、その旨を表す情報を表示出力する。またＰＣ３０は、カバー２０が閉じられたことを表す情報を受信すると、その旨を表す情報を表示出力する。
【００４６】
また制御部１１は、カバー２０が閉じられた後は、通常の動作に復帰し、例えば機能部１３から、（障害の発生を検知したために）報知動作を行うべき旨の指示を受けると、報知動作を開始するようになる。
【００４７】
さらにここまでの説明では、報知動作を停止させる条件として、カバー２０が開かれたとの条件を用いることとしたが、従来同様、内部の装置が取り外された場合（カバー２０を開かずに外すことのできる内部装置を取り外した場合）や、電源部のユニット等が外された場合、さらに所定のボタン押下や所定のコマンドが入力された（ネットワークを介して送信される場合を含む）場合等において、報知動作を停止させることとしてもよい。これらの場合、カバー２０が開かれるか、あるいは内部の装置が取り外されるか、またはボタン押下等が行われたときに、報知動作が停止される。
【００４８】
本実施の形態によれば、使用者がわざわざ報知動作の停止のためにボタンを探して押下するといった必要がなくなり、使用者の作業負担を低減して利便性を向上できる。また、カバー２０を開いたことといったような、機能部１３の機能とは関係のない条件により、報知動作を停止させるので、機能部１３のうち正常に動作する機能部分は継続使用可能な状態に維持される。具体的には予備電源部の異常が報知されたときに、予備電源を交換するためカバー２０を開けば報知動作は停止するが、予備電源を交換している間であっても、他の部分は継続して使用可能である。
【００４９】
またここまでの説明で、ＰＣ３０は、スマートフォン等の携帯端末を含んでもよい。例えば管理者がＰＣ３０としての携帯端末を所持して電子機器１の近傍へ行き、到着したところで携帯端末を操作して報知動作開始指示を行うようにすれば、各地の電子機器１を管理する管理者の現場での作業の効率化を図ることができる。
【符号の説明】
【００５０】
１  電子機器、１０  筐体、１１  制御部、１２  記憶部、１３  機能部、１４  通信部、１５  報知部、２０  カバー、３０  ＰＣ
【図１】
2014067300.tif 000003
【図２】
2014067300.tif 000004
【図３】
2014067300.tif 000005
【図４】
2014067300.tif 000006
【図５】
2014067300.tif 000007
【図６】
2014067300.tif 000008